(57)【特許請求の範囲】
【請求項１】
内装部材に組み付けられるオーナメントの着脱構造であって、
内装部材には、係合孔を有するレバーがスライド可能に組み付けられていると共に、レバーを覆うように貫通孔を有するベースプレートが組み付けられており、
オーナメントの内面には、レバーの係合孔に係合可能なフックが形成されており、
オーナメントのフックをベースプレートの貫通孔を介してレバーの係合孔に係合させたオーナメントの着装状態において、レバーをスライドさせると、オーナメントが係合孔に対するフックの係合が解消された係合解消状態に切り替わることを特徴とするオーナメントの着脱構造。
【請求項２】
請求項１に記載のオーナメントの着脱構造であって、
レバーには、傾斜壁を有する係合孔が形成されており、
係合解消状態から、さらに、レバーをスライドさせると、スライドさせたレバーの係合孔の傾斜壁がオーナメントのフックを押し当てることを特徴とするオーナメントの着脱構造。
【発明の詳細な説明】
【技術分野】
【０００１】
本発明は、オーナメントの着脱構造に関し、詳しくは、自動車等の車両の内装部材に組み付けられるオーナメントの着脱構造に関する。
【背景技術】
【０００２】
従来、自動車の車内の前方には、内装部材としてインストルメントパネルが設けられている。ここで、下記特許文献１には、インストルメントパネルにオーナメント（例えば、木目調の加飾プレート）が組み付けられている技術が開示されている。これにより、インストルメントパネルの意匠性を簡単に高めることができる。
【先行技術文献】
【特許文献】
【０００３】
【特許文献１】特開２００４−１１４８１６号公報
【発明の概要】
【発明が解決しようとする課題】
【０００４】
しかしながら、上述した従来技術では、インストルメントパネルに組み付けられたオーナメントは、その取り替え（着せ替え）までは想定されていない。そのため、オーナメントはインストルメントパネルに対して強固に組み付けられている。したがって、オーナメントを取り替えたい場合、その取り替えが困難であった。
【０００５】
本発明は、このような課題を解決しようとするもので、その目的は、取り替えが容易なオーナメントの着脱構造を提供することである。
【課題を解決するための手段】
【０００６】
本発明は、上記の目的を達成するためのものであって、以下のように構成されている。
請求項１に記載の発明は、内装部材に組み付けられるオーナメントの着脱構造であって、内装部材には、係合孔を有するレバーがスライド可能に組み付けられていると共に、レバーを覆うように貫通孔を有するベースプレートが組み付けられており、オーナメントの内面には、レバーの係合孔に係合可能なフックが形成されており、オーナメントのフックをベースプレートの貫通孔を介してレバーの係合孔に係合させたオーナメントの着装状態において、レバーをスライドさせると、オーナメントが係合孔に対するフックの係合が解消された係合解消状態に切り替わることを特徴とする構成である。
この構成によれば、一方の手でレバーを引く操作を行うと、レバーの係合孔とオーナメントのフックとの係合が解消される。したがって、他方の手でオーナメントを内装部材から取り外すことができる。また、この取り外し状態から、オーナメントのフックをレバーの係合孔に挿入していくと、レバーの係合孔とオーナメントのフックとの係合が行われる。したがって、取り外したオーナメントの取り付けができる。このようにオーナメントの取り外しおよび取り付けができると、この取り外しおよび取り付けを容易にできる。したがって、オーナメントを取り替えたい場合でも、容易にオーナメントを取り替えることができる。
また、請求項２に記載の発明は、請求項１に記載のオーナメントの着脱構造であって、レバーには、傾斜壁を有する係合孔が形成されており、係合解消状態から、さらに、レバーをスライドさせると、スライドさせたレバーの係合孔の傾斜壁がオーナメントのフックを押し当てることを特徴とする構成である。
この構成によれば、係合解消状態に切り替わったオーナメントをベースプレートから簡便に取り外すことができる。
【図面の簡単な説明】
【０００７】
【図１】図１は、本発明の実施例に係るオーナメントの着脱構造を適用したインストルメントパネルの全体斜視図である。
【図２】図２は、図１の分解斜視図である。
【図３】図３は、図１のIII−III線断面図である。
【図４】図４は、図３に示す状態から、ノブの引き操作をしている状態を示す図である。
【図５】図５は、図４に示す状態から、さらにノブの引き操作をしている状態を示す図である。
【図６】図６は、図５に示す状態から、オーナメントを取り外した状態を示す図である。
【発明を実施するための形態】
【０００８】
以下、本発明を実施するための形態を、図１〜６を用いて説明する。なお、以下の説明にあたって、『内装部材』の例として、『インストルメントパネル１』を説明することとする。また、以下の説明にあたって、上、下、前、後、左、右とは、上述した図に記載した、上、下、前、後、左、右の方向、すなわち、車両（図示しない）にインストルメントパネル１を組み付けた状態を基準にしたときの上、下、前、後、左、右の方向を示している。
【０００９】
１は、インストルメントパネルである。このインストルメントパネル１の助手席（図示しない）と向かい合う部位には、横長の矩形状の切欠２が形成されている。また、このインストルメントパネル１の助手席（図示しない）側の側面１ａには、切欠２と連通する貫通孔３が形成されている。この側面１ａは、助手席（図示しない）側のドア（図示しない）閉時に、このドア（図示しない）によって覆われている。このように構成されているインストルメントパネル１は、車両内部の前方に組み付けられている。
【００１０】
１０は、ガイドである。このガイド１０は、断面コ字状の長溝を有するように形成されている。このように構成されているガイド１０は、後述するベースプレート３０の内面にビス（図示しない）を介して組み付けられている。
【００１１】
２０は、レバーである。このレバー２０は、ガイド１０の長溝内をスライド可能に形成されている。このレバー２０の基端（図２において、左端）には、乗員が操作可能なノブ２４が一体を成すように形成されている。また、このレバー２０には、後述するオーナメント４０の４箇所のフック４２を係合可能な係合孔２２が４箇所形成されている。また、この係合孔２２の内部には、左前から右後に傾斜を成す傾斜壁２２ａが形成されている。
【００１２】
このように構成されているレバー２０は、その先端（図２において、右端）から貫通孔３を介してガイド１０の溝内部にスライド可能に組み付けられている。このとき、ガイド１０の右端とレバー２０の先端との間には、引っ張りばね２６が掛け止めされている。これにより、乗員がノブ２４を引く操作すると、引っ張りばね２６の付勢力に抗してレバー２０を左側にスライドできる。
【００１３】
３０は、ベースプレートである。このベースプレート３０は、インストルメントパネル１の切欠２を覆い可能に形成されている樹脂製の部材である。このベースプレート３０には、切欠２の縁に係合可能な複数の係合爪（図示しない）が形成されている。また、このベースプレート３０には、後述するオーナメント４０の４箇所のフック４２を貫通させることができる貫通孔３２が４箇所形成されている。このように構成されているベースプレート３０は、インストルメントパネル１の切欠２を覆うようにビス（図示しない）を介してインストルメントパネル１に組み付けられている。
【００１４】
４０は、オーナメントである。このオーナメント４０は、ベースプレート３０の表面を加飾可能に形成されている樹脂製の部材である。このオーナメント４０の内面には、上述したレバー２０の４箇所の係合孔２２に係合可能なフック４２が４箇所形成されている。このフック４２には、その先端の外側に傾斜面４２ａが形成されている。なお、このフック４２は、上述したようにベースプレート３０の貫通孔３２を貫通可能となっている。このように構成されているオーナメント４０は、そのフック４２がレバー２０の係合孔２２に係合することでベースプレート３０に組み付けられている。
【００１５】
続いて、図３〜６を参照して、上述したオーナメント４０の着脱（オーナメント４０の脱着（取り外し）と、オーナメント４０の着装（取り付け））を説明する。まず、オーナメント４０の脱着（取り外し）から説明していく。図３に示すように、オーナメント４０がベースプレート３０に組み付けられた状態から、助手席のドアを開けて、一方の手でレバー２０のノブ２４を引く操作を行う。
【００１６】
すると、図４に示すように、引っ張りばね２６の付勢力に抗して、レバー２０は左にスライドしていく。これにより、レバー２０の係合孔２２とオーナメント４０のフック４２との係合が４箇所同時に解消される。さらに、ノブ２４の引き操作を行うと、係合孔２２の傾斜壁２２ａがオーナメント４０のフック４２を押し当てる。これにより、図５に示すように、オーナメント４０はベースプレート３０から引き出される。
【００１７】
したがって、図６に示すように、他方の手でオーナメント４０をベースプレート３０から取り外すことができる。この取り外した後に、一方の手のノブ２４の引き操作は解消すればよい。すると、引っ張りばね２６の付勢力によって、レバー２０はスライド前の状態に戻される。このようにして、オーナメント４０をベースプレート３０から取り外すことができる。
【００１８】
次に、オーナメント４０の着装（取り付け）を説明する。図６に示すように、オーナメント４０がベースプレート３０から取り外された状態からベースプレート３０の貫通孔３２を介してオーナメント４０のフック４２をレバー２０の係合孔２２に４箇所同時に挿入していく。すると、オーナメント４０のフック４２の傾斜面４２ａがレバー２０の係合孔２２の縁を押し当てるため、レバー２０は引っ張りばね２６の付勢力に抗して左にスライドしていく。
【００１９】
やがて、オーナメント４０のフック４２の傾斜面４２ａがレバー２０の係合孔２２の縁を乗り越えると、レバー２０は引っ張りばね２６の付勢力によってスライド前の状態に戻される。これにより、レバー２０の係合孔２２とオーナメント４０のフック４２との係合が４箇所同時に行われる。このようにして、オーナメント４０をベースプレート３０に取り付けることができる。
【００２０】
本発明の実施例に係るオーナメント４０の着脱構造は、上述したように構成されている。この構成によれば、一方の手でレバー２０のノブ２４を引く操作を行うと、レバー２０の係合孔２２とオーナメント４０のフック４２との係合が４箇所同時に解消される。したがって、他方の手でオーナメント４０をベースプレート３０から取り外すことができる。また、この取り外し状態から、オーナメント４０のフック４２をレバー２０の係合孔２２に４箇所同時に挿入していくと、レバー２０の係合孔２２とオーナメント４０のフック４２との係合が４箇所同時に行われる。したがって、取り外したオーナメント４０の取り付けができる。このようにオーナメント４０の取り外しおよび取り付けができると、この取り外しおよび取り付けを容易にできる。したがって、オーナメント４０を取り替えたい場合でも、容易にオーナメント４０を取り替えることができる。
【００２１】
上述した内容は、あくまでも本発明の一実施の形態に関するものであって、本発明が上記内容に限定されることを意味するものではない。
実施例では、『内装部材』の例として、『インストルメントパネル１』を説明した。しかし、これに限定されるものでなく、車両内部に組み付けられる内装部材であれば、何であっても構わない。
【符号の説明】
【００２２】
１      内装部材（インストルメントパネル）
２０    レバー
２２    係合孔
４０    オーナメント
４２    フック
【図１】
0005985250.tif 000002
【図２】
0005985250.tif 000003
【図３】
0005985250.tif 000004
【図４】
0005985250.tif 000005
【図５】
0005985250.tif 000006
【図６】
0005985250.tif 000007